(57)【特許請求の範囲】
【請求項１】
島設備の隣接する遊技機間に設置され、前方に向かって送風することによりエアカーテンを形成可能な島設備の台間装置において、
前記島設備における遊技機の側方近傍に設置可能とされた装置本体と、
該装置本体内で上下方向に延びた回転軸を中心に回転可能に配設されるとともに、側面に送風のための羽根が形成された略円筒状のファン部材と、
該ファン部材と連結された出力軸を有し、当該ファン部材を回転軸を中心として回転駆動させるモータと、
前記ファン部材とモータとを同一のフレームに組み付けて一体とすることにより構成された送風ユニットと、
を具備するとともに、前記モータは、前記ファン部材の上部に位置する前記送風ユニットのフレームの上部に支持され、且つ、当該ファン部材の下部を当該モータとは別個のベアリング及びスラスト方向の荷重を受け得るブッシュから成り、前記フレームに固定された支持手段にて回転自在に支持させたことを特徴とする島設備の台間装置。
【請求項２】
前記送風ユニットを前記装置本体内において上下方向に複数並設させたことを特徴とする請求項１記載の島設備の台間装置。
【請求項３】
前記装置本体の背面で上下方向に延びて形成され、前記ファン部材の回転駆動により当該装置本体内に空気を吸入し得る吸入口と、
前記装置本体の前面で上下方向に延びて形成され、前記ファン部材の回転駆動により前記吸入口から吸入した空気を吐出させることにより前方に向かって送風し得る吐出口と、
を具備したことを特徴とする請求項１又は請求項２記載の島設備の台間装置。
【発明の詳細な説明】
【技術分野】
【０００１】
本発明は、島設備の隣接する遊技機間に設置され、前方に向かって送風することによりエアカーテンを形成可能な島設備の台間装置に関するものである。
【背景技術】
【０００２】
通常、パチンコ店内に設置された島設備には、複数の遊技機（パチンコ遊技機やスロットマシン等）が並設されており、その隣接する遊技機間には台間装置が設置されている。然るに、遊技者の煙草の煙等が隣接した遊技機の遊技者に至ってしまうのを抑制すべく、従来より、前方に送風するファン等を設け、当該ファン等を駆動させることによりエアカーテンを形成可能な台間装置が提案されるに至っている。
【０００３】
例えば、特許文献１で開示されているように、台間装置内にファン等の送風機を配設するとともに、装置本体の前面側に空気の吸入口及び吐出口がそれぞれ形成され、当該送風機を駆動させることにより前方（遊技者側）に向かって吐出口から送風してエアカーテンを形成し得るようになっていた。かかるエアカーテンにより、隣の遊技機まで煙草の煙等が至ってしまうのを抑制することができる。
【先行技術文献】
【特許文献】
【０００４】
【特許文献１】特開平１０−１１８３２７号公報
【発明の概要】
【発明が解決しようとする課題】
【０００５】
しかしながら、上記従来の島設備の台間装置においては、装置本体の前面側に空気の吸入口及び吐出口がそれぞれ形成されていたので、吐出口の上下寸法を大きく設定することができず、十分な大きさのエアカーテンを形成するのが困難であるという問題があった。即ち、エアカーテンは、空気の流れで壁を形成して煙草等の煙を遮断するものであるため、吐出口を上下方向に大きく形成して上下方向に幅広いエアカーテンを形成するのが好ましいのであるが、従来のものにおいては、装置本体の前面側には、吐出口の他、空気の吸入口も形成する必要があり、当該吐出口の上下方向に対する十分な寸法を採ることが困難とされていたのである。
【０００６】
そこで、本出願人は、装置本体内で上下方向に延びた回転軸を中心に回転可能に配設されるとともに、側面に送風のための羽根が形成された略円筒状のファン部材を用いることとし、且つ、空気の吸入口を装置本体の背面又は側面に形成するとともに、装置本体の前面において上下方向に亘って大きく吐出口を形成させることを検討するに至った。然るに、ファン部材を駆動させるモータをファン部材の下部に配設させた場合、当該モータの出力軸に対してスラスト方向にファン部材の重量が付与されてしまう。
【０００７】
このように、モータの出力軸に対してファン部材の重量がスラスト方向に常時付与されることから、当該出力軸を支持するモータの支持手段を比較的高強度なものとする必要があった。上下方向に幅広い空気にてエアカーテンを形成しようとすべく上下に長いファン部材を採用した場合、その分だけ重量が増すことから、モータの出力軸に付与されるスラスト方向の負荷も大きくなってしまう。よって、使用されるモータは、高強度な支持手段を具備した比較的高価なものとなってしまい、製造コストが嵩んでしまうという問題がある。
【０００８】
本発明は、このような事情に鑑みてなされたもので、煙草の煙等の遮断効果を十分に発揮させるべく高さ方向に十分幅広いエアカーテンを形成することができるとともに、ファン部材の重量をモータとは別個の支持手段にて受けさせる構成とすることにより、製造コストを低減させることができる島設備の台間装置を提供することにある。
【課題を解決するための手段】
【０００９】
請求項１記載の発明は、島設備の隣接する遊技機間に設置され、前方に向かって送風することによりエアカーテンを形成可能な島設備の台間装置において、前記島設備における遊技機の側方近傍に設置可能とされた装置本体と、該装置本体内で上下方向に延びた回転軸を中心に回転可能に配設されるとともに、側面に送風のための羽根が形成された略円筒状のファン部材と、該ファン部材と連結された出力軸を有し、当該ファン部材を回転軸を中心として回転駆動させるモータと、前記ファン部材とモータとを同一のフレームに組み付けて一体とすることにより構成された送風ユニットとを具備するとともに、前記モータは、前記ファン部材の上部に位置する前記送風ユニットのフレームの上部に支持され、且つ、当該ファン部材の下部を当該モータとは別個のベアリング及びスラスト方向の荷重を受け得るブッシュから成り、前記フレームに固定された支持手段にて回転自在に支持させたことを特徴とする。
【００１０】
請求項２記載の発明は、請求項１記載の島設備の台間装置において、前記送風ユニットを前記装置本体内において上下方向に複数並設させたことを特徴とする。
【００１１】
請求項３記載の発明は、請求項１又は請求項２記載の島設備の台間装置において、前記装置本体の背面で上下方向に延びて形成され、前記ファン部材の回転駆動により当該装置本体内に空気を吸入し得る吸入口と、前記装置本体の前面で上下方向に延びて形成され、前記ファン部材の回転駆動により前記吸入口から吸入した空気を吐出させることにより前方に向かって送風し得る吐出口とを具備したことを特徴とする。
【発明の効果】
【００１２】
請求項１の発明によれば、装置本体内で上下方向に延びた回転軸を中心に回転可能に配設されるとともに、側面に送風のための羽根が形成された略円筒状のファン部材を具備したので、煙草の煙等の遮断効果を十分に発揮させるべく高さ方向に十分幅広いエアカーテンを形成することができるとともに、モータは、ファン部材の上部に位置する送風ユニットのフレームの上部に支持され、且つ、当該ファン部材の下部を当該モータとは別個のベアリング及びスラスト方向の荷重を受け得るブッシュから成り、フレームに固定された支持手段にて回転自在に支持させたので、比較的安価なモータを用いることができ、製造コストを低減させることができる。
【００１３】
請求項２の発明によれば、送風ユニットを前記装置本体内において上下方向に複数並設させたので、高さ方向に十分幅広いエアカーテンを形成することができるとともに、装置本体内のレイアウトの自由度を向上させることができる。
【００１４】
請求項３の発明によれば、装置本体の背面で上下方向に延びて形成され、ファン部材の回転駆動により当該装置本体内に空気を吸入し得る吸入口と、装置本体の前面で上下方向に延びて形成され、ファン部材の回転駆動により吸入口から吸入した空気を吐出させることにより前方に向かって送風し得る吐出口とを具備したので、吸入口から吸入した上下方向に幅広い空気をスムーズに上下方向に幅広い吐出口から吐出させることにより、高さ方向に十分幅広いエアカーテンを良好に形成することができ、煙草の煙等の遮断効果を十分に発揮させることができる。
【図面の簡単な説明】
【００１５】
【図１】本発明の実施形態に係る島設備の台間装置を示す正面図
【図２】同台間装置の内部構成を示す側面図
【図３】同台間装置を示す背面図
【図４】同台間装置におけるファン部材、モータ及び案内部を示す拡大図であって、（ａ）側面から見た模式図（ｂ）吸入口側から見た模式図（ｃ）一部を断面した模式図
【図５】同台間装置におけるモータの出力軸及び支持手段を示す模式図であって、（ａ）モータ及びその出力軸近傍の図（ｂ）支持手段近傍の図
【図６】同台間装置が設置される島設備全体を示す模式図
【発明を実施するための形態】
【００１６】
以下、本発明の実施形態について図面を参照しながら具体的に説明する。
本実施形態に係る島設備の台間装置は、図６に示すように、パチンコ遊技店における島設備Ｓの隣接するパチンコ遊技機Ｐ間に設置され、前方（同図中手前側）に向かって送風することによりエアカーテンを形成可能なものであり、図１〜５に示すように、装置本体２と、ファン部材３と、モータ４と、吸入口５と、吐出口６とを有して構成されている。
【００１７】
装置本体２は、台間装置１の筐体を成すもので全体として上下に細長い箱型形状とされており、島設備Ｓにおけるパチンコ遊技機Ｐの側方近傍に設置可能とされるとともに内部に種々構成要素が収容されている。かかる装置本体２は、上下寸法がパチンコ遊技機Ｐの高さ寸法と略同一とされており、その前面２ａを島設備Ｓの前方に臨ませつつ背面２ｂを島設備Ｓ内の空間に臨ませて固定されるようになっている。
【００１８】
また、装置本体２には、その前面２ａ上部に操作手段７、表示灯９及び噴出口１０が形成されている。表示灯９は、複数個のＬＥＤで形成され、ファン部材３の駆動状態（モータ４の駆動状態）やロック機構１３の作動状態を点灯表示し得るようになっている。噴出口１０は、静電霧化微粒子水発生装置１１（図２参照）で生じた帯電微粒子水を前方（遊技者側）に噴霧させるための開口である。当該静電霧化微粒子水発生装置１１は、背面２ｂに設けたノズル１１ａから水を供給することにより、この水を静電霧化作用で帯電微粒子水とするためのものであり、これにより、遊技者近傍の空気が清浄化されたり加湿されて、快適な遊技空間が得られるようになっている。
【００１９】
更に、上下の仕切板１２のうち上方に取り付けられた仕切板１２における裏面には、図２に示すように、所定の電気回路が形成された制御基板１４が取り付けられている。かかる制御基板１４は、装置本体２内に配設された種々電機部品（モータ４等）を制御するためのマイコン等を具備したプリント基板から成るもので、ネジ等の汎用的締結手段にて仕切板１２の裏面側に固定されている。
【００２０】
かかる構成により、ファン部材３からの送風により、エアカーテンを形成することができるのに加え、制御基板１４の冷却を図ることができる。即ち、エアカーテンを形成するための送風を流用し、その送風にて制御基板１４におけるマイコン等が過熱してしまうのを抑制することができるのである。従って、制御基板１４の過熱を防止することができるとともに当該制御基板１４のための別個の冷却手段が不要とされる。尚、図２中符号１５は、制御基板１４から突出形成された冷却手段を示している。
【００２１】
ファン部材３は、所謂クロスフローファンと称されるファンから成り、図４に示すように、装置本体２内で上下方向に延びた回転軸Ｌを中心に回転可能に配設されるとともに、側面に送風のための羽根３ａが形成された略円筒状のものから成る。かかるファン部材３は、フレームＦにおいて回転自在に取り付けられており、当該フレームＦの上部にはモータ４が形成されている。
【００２２】
当該モータ４は、ファン部材３を回転軸Ｌを中心として回転駆動させるための駆動源であり、図５（ａ）に示すように、ファン部材３とブッシュ１６を介して連結された出力軸１７、及び該出力軸１７を回転自在に支持するベアリング１８を有するとともに、図示しないステータ及びロータを内在して成る。ベアリング１８は、出力軸１７回転自在に支持するものであれば足り、ボールベアリング、ニードルベアリング等の汎用的な支持手段から成るものである。かかるモータ４に電力が供給されると、出力軸１７が回転駆動することにより、その回転力がブッシュ１６を介してファン部材３に伝達され、当該ファン部材３を回転軸Ｌを中心に回転させ得るようになっている。
【００２３】
一方、ファン部材３の下部には、図５（ｂ）に示すように、当該ファン部材３と連結された回転軸１９を回転自在に支持するための支持手段（ベアリング２０及びブッシュ２１）が配設されている。即ち、本実施形態においては、ベアリング２０及びブッシュ２１にてファン部材３の下部を回転自在に支持する支持手段を構成しているのである。このうち、ベアリング２０は、ボールベアリングやニードルベアリング等から成るとともに、ブッシュ２１は、回転軸１９のスラスト方向の荷重を受け得るようになっている。
【００２４】
而して、本実施形態においては、ファン部材３とモータ４とを同一フレームＦに組み付けて一体とすることにより送風ユニットＹを構成しており、ファン部材３の重量を支持手段としてのベアリング２０及びブッシュ２１（スラスト方向の荷重は特にブッシュ２１）にて受け得るようになっている。また、送風ユニットＹが装置本体２内において上下方向に複数（本実施形態においては２つ）並設されており、これにより、装置本体２に形成された吸入口５及び吐出口６の形成位置や他の構成要素の配設関係に応じて送風ユニットＹを任意の位置で配設することができる。
【００２５】
本実施形態においては、図４（ｂ）（ｃ）に示すように、ファン部材３の側面の一部を覆って吸入口５から吸入した空気を吐出口６に向かって排出させるべく空気を案内する案内部ＦａがフレームＦに形成されている。図中符号Ｆｂは、上下のフレーム同士を連結させる連結部であり、案内部Ｆａの如くファン部材３の側面を覆うものではない。尚、同図（ｃ）の右側に吸入口５が形成されるとともに、左側に吐出口６が形成されており、空気の流れを矢印にて示している。
【００２６】
案内部Ｆａは、ファン部材３の側面の一部を覆っているものの、少なくとも当該ファン部材３の側面を吐出口６及び吸入口５に臨ませて成るものとされる。即ち、案内部Ｆａは、縁部Ｆａａから縁部Ｆａｂまでの幅を有しており、その範囲内においてファン部材３の側面を覆っているものの、他の部位は案内部Ｆａにて覆われておらず、吸入口５から吸入した空気を吐出口６に向かって良好に排出させ得るよう構成されているのである。
【００２７】
吸入口５は、図３に示すように、装置本体２の背面２ｂで上下方向に延びて形成され、ファン部材３の回転駆動により当該装置本体２内に空気を吸入し得るものである。即ち、本実施形態においては、同図に示すように、左右方向に長い長孔を装置本体２の背面２ｂに対して上下方向に複数形成することにより、上下方向に延びた吸入口５を形成しているのである。尚、図２、３中符号１３は吸入口５を覆った活性炭フィルタを示しており、当該吸入口５から吸入される空気を濾過して浄化し得るようになっている。
【００２８】
吐出口６は、装置本体２の前面２ａで上下方向に延びて形成されてスリット状に開口し、ファン部材３の回転駆動により吸入口５から吸入した空気を吐出させることにより前方に向かって送風し得るものであり、かかる送風により隣接するパチンコ遊技機Ｐ間において所謂エアカーテンを形成することができる。即ち、本実施形態においては、吸入口５が装置本体２の背面２ｂに形成されているため、吐出口６を装置本体２の前面２ａにおける広い範囲に亘って形成させることができ、エアカーテンの高さ方向（上下方向）の幅（空気の流れで形成される壁の高さ）を大きく設定することができるのである。
【００２９】
尚、装置本体２の前面２ａ上部には、ファン部材３の駆動をオン・オフ操作（即ち、モータ４のオン・オフ操作）するための又は当該ファン部材３の回転速度を任意に調整するための操作手段７が配設されている。具体的には、かかる操作手段７は、押圧操作及び回転操作が可能な操作摘みから成り、押圧操作によりファン部材３が回転駆動開始又は停止されるとともに、回転操作により可変抵抗器８（図２参照）を作用させてモータ４に送られる電流を変化させ、当該ファン部材３を任意の回転速度に調整し得るようになっている。
【００３０】
本実施形態によれば、装置本体２内で上下方向に延びた回転軸Ｌを中心に回転可能に配設されるとともに、側面に送風のための羽根３ａが形成された略円筒状のファン部材３を具備したので、煙草の煙等の遮断効果を十分に発揮させるべく高さ方向に十分幅広いエアカーテンを形成することができるとともに、モータ４がファン部材３の上部に配設され、且つ、当該ファン部材３の下部を当該モータ４とは別個の支持手段（ベアリング２０及びブッシュ２１）にて回転自在に支持させたので、比較的安価なモータ４を用いることができ、製造コストを低減させることができる。
【００３１】
また、送風ユニットＹを装置本体２内において上下方向に複数（２つ）並設させたので、高さ方向に十分幅広いエアカーテンを形成することができるとともに、装置本体２内のレイアウトの自由度を向上させることができる。即ち、送風ユニットＹを上下方向に複数並設させる構成とすることにより、吸入口５及び吐出口６の形成位置や他の構成要素の配設関係に応じて送風ユニットＹを任意の位置で配設することができ、レイアウトの自由度を向上させ得るのである。送風ユニットＹは、２つに限らず、単体或いは３つ以上上下に並べて配設するようにしてもよい。
【００３２】
更に、本実施形態においては、装置本体２内で上下方向に延びた回転軸Ｌを中心に回転可能に配設されるとともに側面に送風のための羽根３ａが形成された略円筒状のファン部材３を有し、且つ、装置本体２の前面２ａに上下方向に延設された吐出口６、及び装置本体２の背面２ｂに上下方向に延設された吸入口５がそれぞれ形成されているので、吸入口５から吸入した上下方向に幅広い空気（吸入口５が上下方向に延設されているので、吸入時に上下方向に幅広い空気とされている）をスムーズに上下方向に幅広い吐出口６（吸入口５と同様、吐出口６が上下方向に延設されているので、吐出時に上下方向に幅広い空気とされている）から吐出させ、高さ方向に十分幅広いエアカーテンを良好に形成することができ、煙草の煙等の遮断効果を十分に発揮させることができる。
【００３３】
即ち、ファン部材３が上下方向に亘って幅を有する送風が可能とされ、且つ、当該ファン部材３の駆動により、上下方向に亘って幅を有する吸入口５から空気を取り入れるとともに同じく上下方向に亘って幅を有する吐出口６から空気を吐出することにより、吸入口５から吸入した上下方向に幅広の空気を略そのままスムーズに吐出口６から吐出させ、高さ方向に十分幅広いエアカーテンを良好に形成することができるのである。
【００３４】
尚、本実施形態によれば、ファン部材３の側面の一部を覆って吸入口５から吸入した空気を吐出口６に向かって排出させるべく空気を案内する案内部Ｆａが形成されたフレームＦを有し、該フレームＦに当該ファン部材３とモータ４とを組み付けた送風ユニットＹを具備するとともに、案内部Ｆａは、ファン部材３の側面を吐出口６及び吸入口５に臨ませて成るので、よりスムーズに吸入口５から吸入した空気を吐出口６から吐出させて高さ方向に十分幅広いエアカーテンを良好に形成することができる。
【００３５】
以上、本実施形態について説明したが、本発明はこれに限定されるものではなく、例えば隣接するパチンコ遊技機Ｐにおける前面枠の開放を規制するためのロック機構等を具備させるものとしてもよく、或いは他の機能が付加されたもの（例えば、プリペイドカード投入口等が形成された台間装置等）としてもよい。また、本実施形態においては、パチンコ遊技機Ｐが並設された島設備Ｓに適用されているが、スロットマシン等他の遊技機が並設された島設備に適用することができる。
【産業上の利用可能性】
【００３６】
装置本体内で上下方向に延びた回転軸を中心に回転可能に配設されるとともに、側面に送風のための羽根が形成された略円筒状のファン部材と、ファン部材と連結された出力軸を有し、当該ファン部材を回転軸を中心として回転駆動させるモータと、ファン部材とモータとを同一のフレームに組み付けて一体とすることにより構成された送風ユニットとを具備するとともに、モータは、ファン部材の上部に位置する送風ユニットのフレームの上部に支持され、且つ、当該ファン部材の下部を当該モータとは別個のベアリング及びスラスト方向の荷重を受け得るブッシュから成り、フレームに固定された支持手段にて回転自在に支持させた島設備の台間装置であれば、外観形状が異なるもの或いは他の機能が付加されたもの等にも適用できる。
【符号の説明】
【００３７】
１  台間装置
２  装置本体
３  ファン部材
３ａ  羽根
４  モータ
５  吸入口
６  吐出口
７  操作手段
８  可変抵抗器
９  表示灯
１０  噴出口
１１  静電霧化微粒子水発生装置
１２  仕切板
１３  活性炭フィルタ
１４  制御基板
１５  冷却手段
１６  ブッシュ
１７  出力軸
１８  ベアリング
１９  回転軸
２０  ベアリング（支持手段）
２１  ブッシュ（支持手段）
Ｙ  送風ユニット
Ｆ  フレーム
Ｆａ  案内部
Ｓ  島設備
【図１】
0005620092.tif 000002
【図２】
0005620092.tif 000003
【図３】
0005620092.tif 000004
【図４】
0005620092.tif 000005
【図５】
0005620092.tif 000006
【図６】
0005620092.tif 000007